(57)【特許請求の範囲】
【請求項１】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される、上記情報アクセス装置において、
（ａ）放送コンテンツおよび（ｂ）上記放送コンテンツを特定するコンテンツ特定情報を含む放送信号を受信する手段と、
受信した放送信号に含まれる放送コンテンツを再生する手段と、
ユーザ特定情報と、上記放送信号により送られてきたコンテンツ特定情報とを含む関係付け要求であって、上記ユーザ特定情報により特定される、上記データベースのユーザアカウントに上記コンテンツ特定情報を記録するよう要求する関係付け要求を、上記コンテンツ提供装置に送信する手段と、
ユーザ特定情報を伴うコンテンツ送信要求を上記コンテンツ提供装置に送信して、上記コンテンツ送信要求に伴うユーザ特定情報により特定される、上記データベースのユーザアカウントに記録されているコンテンツ特定情報により特定される放送コンテンツの送信を要求する手段とを有することを特徴とする情報アクセス装置。
【請求項２】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される、上記情報アクセス装置において、
（ｃ）ユーザ特定情報と、（ｂ）放送コンテンツを特定するコンテンツ特定情報であって放送信号により送られてきたものと、を含む関係付け要求であって、上記ユーザ特定情報により特定される、上記データベースのユーザアカウントに上記コンテンツ特定情報を記憶するよう要求する関係付け要求を、上記コンテンツ提供装置に送信する手段と、
ユーザ特定情報を伴うコンテンツ送信要求を上記コンテンツ提供装置に送信して、上記コンテンツ送信要求に伴うユーザ特定情報により特定されるユーザアカウントに記録されているコンテンツ特定情報により特定される放送コンテンツの送信を要求する手段とを有することを特徴とする情報アクセス装置。
【請求項３】
コンテンツ特定情報により識別される放送コンテンツをストアするコンテンツ提供装置であって、さらにユーザ特定情報の元でコンテンツ特定情報を記録するデータベースを具備して通信ネットワーク回線を介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送出する上記コンテンツ提供装置に、上記通信ネットワークを介して接続されるコンテンツ関連付け要求装置において、
（ｃ）ユーザ特定情報と、（ｂ）放送コンテンツを特定するコンテンツ特定情報であって放送信号により送られてきたものと、を含む関係付け要求であって、上記ユーザ特定情報により特定される、上記データベースのユーザアカウントに上記コンテンツ特定情報を記録するよう要求する関係付け要求を、上記コンテンツ提供装置に送信するコンテンツ関連付け要求装置。
【請求項４】
コンテンツ特定情報により識別される、放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して送出する上記コンテンツ提供装置に、上記通信ネットワークを介して接続されるコンテンツ関連付け要求装置において、
（ａ）放送コンテンツおよび（ｂ）上記放送コンテンツを特定するコンテンツ特定情報を含む放送信号を受信してこの放送信号に含まれる放送コンテンツを再生する再生装置から、上記放送信号により送られてきた上記コンテンツ特定情報を受け取る手段と、
ユーザ特定情報と、上記コンテンツ特定情報とを含む関係付け要求であって、上記ユーザ特定情報により特定される上記データベースのユーザアカウントに上記コンテンツ特定情報を記憶するように要求する関係付け要求を、上記コンテンツ提供装置に送信する手段とを有することを特徴とするコンテンツ関連付け要求装置。
【請求項５】
上記再生装置を遠隔制御する機能を有する請求項４記載のコンテンツ関連付け要求装置。
【請求項６】
上記再生装置に通信機能を設け、上記通信機能に対して上記ユーザ特定情報および上記関連付け要求の送信を指示する請求項５記載のコンテンツ関連付け要求装置。
【請求項７】
（ａ）放送コンテンツおよび（ｂ）上記放送コンテンツを特定するコンテンツ特定情報を含む放送信号を送信する手段と、
上記放送信号に含まれる放送コンテンツを上記コンテンツ特定情報に関連付けて記憶するコンテンツ記憶手段と、
関連付け要求用ユーザ装置から送信されてくる関連付け要求であって、ユーザ特定情報および上記放送信号により上記関連付け要求用ユーザ装置に送られたコンテンツ特定情報を含み、上記ユーザ特定情報により特定されるユーザアカウントに上記コンテンツ特定情報により特定されるコンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれるコンテンツ特定情報を記憶するデータベースと、
コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出し当該コンテンツ特定情報で特定される放送コンテンツを、上記コンテンツ記憶手段から取り出して、上記コンテンツ送信要求用ユーザ装置に送信する手段とを有することを特徴とするコンテンツ提供装置。
【請求項８】
上記ユーザ装置の種別を判別する手段とをさらに有し、上記ユーザ装置に合致したコンテンツを上記ユーザ装置に送信する請求項７記載のコンテンツ提供装置。
【請求項９】
放送信号に含まれる放送コンテンツを、上記放送信号に含まれるコンテンツ特定情報であって上記放送コンテンツを特定するものに関連付けて記憶するコンテンツ記憶手段と、
関連付け要求用ユーザ装置から送信されてくる関連付け要求であって、ユーザ特定情報および上記放送信号により上記関連付け要求用ユーザ装置に送られたコンテンツ特定情報を含み、上記ユーザ特定情報により特定されるユーザアカウントに上記コンテンツ特定情報により特定されるコンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれるコンテンツ特定情報を記憶するデータベースと、
コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出して当該コンテンツ特定情報で特定される放送コンテンツを、上記コンテンツ記憶手段から取り出して、上記コンテンツ送信要求用ユーザ装置に送信する手段とを有することを特徴とするコンテンツ提供装置。
【請求項１０】
放送信号に含まれる放送コンテンツを、上記放送信号に含まれるコンテンツ特定情報であって上記放送コンテンツを特定するものに関連付けて記憶するコンテンツ記憶手段と、
関連付け要求用ユーザ装置から送信されてくる関連付け要求であって、ユーザ特定情報および上記放送信号により上記関連付け要求用ユーザ装置に送られたコンテンツ特定情報を含み、上記ユーザ特定情報により特定されるユーザアカウントに上記コンテンツ特定情報により特定されるコンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれるコンテンツ特定情報を記憶するデータベースと、
コンテンツ送信要求用ユーザ装置の種別を判別する手段と、
上記コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出し、当該コンテンツ特定情報で特定され上記コンテンツ送信要求用ユーザ装置の種別に対応するフォーマットで準備されたコンテンツを、上記コンテンツ記憶手段から取り出して、上記コンテンツ送信要求用ユーザ装置に送信する手段とを有することを特徴とするコンテンツ提供装置。
【請求項１１】
放送信号に含まれる放送コンテンツを、上記放送信号に含まれるコンテンツ特定情報であって上記放送コンテンツを特定するものに関連付けて記憶するコンテンツ記憶手段と、
関連付け要求用ユーザ装置から送信されてくる関連付け要求であって、ユーザ特定情報および上記放送信号により上記関連付け要求用ユーザ装置に送られたコンテンツ特定情報を含み、上記ユーザ特定情報により特定されるユーザアカウントに上記コンテンツ特定情報により特定されるコンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれるコンテンツ特定情報を記憶するデータベースと、
コンテンツ送信要求用ユーザ装置から送信されてくるコンテンツメニュー送信要求に基づいて、上記データベースにおいて上記コンテンツメニュー送信要求に伴うユーザ特定情報により特定されるユーザアカウントに記憶されているコンテンツ特定情報を取り出し当該コンテンツ特定情報で特定される放送コンテンツのメニューを生成して上記コンテンツ送信要求用ユーザ装置に送信する手段と、
上記コンテンツ送信要求用ユーザ装置から送信されてくる上記メニューに基づく選択指示に基づいて選択された放送コンテンツを、上記コンテンツ記憶手段から取り出して、上記コンテンツ送信要求用ユーザ装置に送信する手段とを有することを特徴とするコンテンツ提供装置。
【請求項１２】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される上記情報アクセス装置で実行されるコンピュータプログラムを記録した、情報アクセス用のコンピュータ読取り可能な記録媒体において、
（ａ）放送コンテンツおよび（ｂ）上記放送コンテンツを特定するコンテンツ特定情報を含む放送信号を受信するステップと、
受信した放送信号に含まれる放送コンテンツを再生するステップと、
ユーザ特定情報と、上記放送信号により送られてきたコンテンツ特定情報とを含む関係付け要求であって、上記ユーザ特定情報により特定される、上記データベースのユーザアカウントに上記コンテンツ特定情報を記録するよう要求する関係付け要求を、上記コンテンツ提供装置に送信するステップと、
ユーザ特定情報を伴うコンテンツ送信要求を上記コンテンツ提供装置に送信して、上記ユーザ特定情報により特定される、上記データベースのユーザアカウントに記録されている上記コンテンツ特定情報により特定されるコンテンツの送信を要求するステップとを上記情報アクセス装置に実行させるためのコンピュータプログラムを記録した、情報アクセス用のコンピュータ読取り可能な記録媒体。
【請求項１３】
コンテンツ特定情報により識別される放送コンテンツをストアするコンテンツ提供装置であって、さらにユーザ特定情報の元でコンテンツ特定情報を記録するデータベースを具備して通信ネットワークを介してコンテンツ送信要求用ユーザ装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置によるコンテンツ提供方法において、
（ａ）放送コンテンツおよび（ｂ）上記放送コンテンツを特定するコンテンツ特定情報を含む放送信号を送信するステップと、
上記放送信号に含まれる放送コンテンツを上記コンテンツ特定情報に関連付けて、上記コンテンツ提供装置が保持する記憶手段に記憶するステップと、
関連付け要求用ユーザ装置から送信されてくる関連付け要求であって、ユーザ特定情報および上記放送信号により上記関連付け要求用ユーザ装置に送られたコンテンツ特定情報を含み、上記ユーザ特定情報により特定されるユーザアカウントに上記コンテンツ特定情報により特定されるコンテンツを関係付けるよう要求する関係付け要求を、受信するステップと、
上記関連付け要求に基づいて上記ユーザ特定情報により特定される、上記コンテンツ提供装置が保持する上記データベースの対応するユーザアカウントに上記コンテンツ特定情報を記憶するステップと、
上記コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出し当該コンテンツ特定情報で特定される放送コンテンツを上記コンテンツ送信要求用ユーザ装置に送信するステップとを有することを特徴とするコンテンツ提供方法。
【請求項１４】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される、上記情報アクセス装置において、
放送信号を受信する手段と、
受信した放送信号に含まれる放送コンテンツを再生する手段と、
ユーザ特定情報と、上記放送信号の放送チャンネル識別子とを含む関係付け要求であって、上記ユーザ特定情報により特定される、上記データベースのユーザアカウントに、上記放送チャンネル識別子および放送時刻情報を含むコンテンツ特定情報を記憶するよう要求する関係付け要求を、上記コンテンツ提供装置に送信する手段と、
ユーザ特定情報を伴うコンテンツ送信要求を上記コンテンツ提供装置に送信して、上記コンテンツ送信要求に伴うユーザ特定情報により特定される、上記データベースのユーザアカウントに記憶されているコンテンツ特定情報により特定される放送コンテンツの送信を要求する手段とを有することを特徴とする情報アクセス装置。
【請求項１５】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される、上記情報アクセス装置において、
放送信号を受信する放送信号受信装置から上記放送信号の放送チャンネル識別子を取得する手段と、
ユーザ特定情報と、上記放送信号受信装置から取得した上記放送信号の放送チャンネル識別子とを含む関係付け要求であって、上記ユーザ特定情報により特定される、上記データベースのユーザアカウントに、上記放送チャンネル識別子および放送時刻情報を含むコンテンツ特定情報を記憶するよう要求する関係付け要求を、上記コンテンツ提供装置に送信する手段と、
ユーザ特定情報を伴うコンテンツ送信要求を上記コンテンツ提供装置に送信して、上記コンテンツ送信要求に伴うユーザ特定情報により特定される、上記データベースのユーザアカウントに記憶されている上記コンテンツ特定情報により特定されるコンテンツの送信を要求する手段とを有することを特徴とする情報アクセス装置。
【請求項１６】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される、コンテンツ関連付け要求装置において、
放送信号を受信する放送信号受信装置から上記放送信号の放送チャンネル識別子を取得する手段と、
ユーザ特定情報と、上記放送信号受信装置から取得した上記放送信号の放送チャンネル識別子とを含む関係付け要求であって、上記ユーザ特定情報により特定される、上記データベースのユーザアカウントに、上記放送チャンネル識別子および放送時刻情報からなるコンテンツ特定情報を記憶するよう要求する関係付け要求を、上記コンテンツ提供装置に送信するコンテンツ関連付け要求装置。
【請求項１７】
放送信号を送信する手段と、
上記放送信号に含まれる放送コンテンツを上記放送信号の放送チャンネル識別子および放送時刻情報に関連付けて記憶するコンテンツ記憶手段と、
関連付け要求用ユーザ装置から送信されてくる関連付け要求であって、ユーザ特定情報および上記放送信号の放送チャンネル識別子を含み、上記ユーザ特定情報により特定されるユーザアカウントに上記放送チャンネル識別子および放送時刻情報により特定される放送コンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれる放送チャンネル識別子と放送時刻情報とを含むコンテンツ特定情報を記憶するデータベースと、
コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出し当該コンテンツ特定情報で特定される放送コンテンツを、上記コンテンツ記憶手段から取り出して、上記コンテンツ送信要求用ユーザ装置に送信する手段とを有することを特徴とするコンテンツ提供装置。
【請求項１８】
上記放送時刻情報は上記関連付け要求用ユーザ装置で管理される時刻情報である請求項１７記載のコンテンツ提供装置。
【請求項１９】
上記放送時刻情報は上記コンテンツ提供装置本体で管理される時刻情報である請求項１７記載のコンテンツ提供装置。
【請求項２０】
上記放送チャンネル識別子は放送信号を選択するチューナ装置から取得される請求項１７記載のコンテンツ提供装置。
【請求項２１】
放送信号に含まれる放送コンテンツを上記放送信号の放送チャンネル識別子および放送時刻情報に関連付けて記憶するコンテンツ記憶手段と、
関連付け要求用ユーザ装置から送信されてくる関連付け要求であって、ユーザ特定情報および放送チャンネル識別子を含み、上記ユーザ特定情報により特定されるユーザアカウントに上記放送チャンネル識別子および放送時刻情報により特定される放送コンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれる放送チャンネル識別子と放送時刻情報とを含むコンテンツ特定情報を記憶するデータベースと、
コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出して当該コンテンツ特定情報で特定される放送コンテンツを、上記コンテンツ記憶手段から取り出して、上記コンテンツ送信要求用ユーザ装置に送信する手段とを有することを特徴とするコンテンツ提供装置。
【請求項２２】
放送信号に含まれる放送コンテンツを上記放送信号の放送チャンネル識別子および放送時刻情報に関連付けて記憶するコンテンツ記憶手段と、
関連付け要求用ユーザ装置から送信されてくる関連付け要求であって、ユーザ特定情報および放送チャンネル識別子を含み、上記ユーザ特定情報により特定されるユーザアカウントに上記放送チャンネル識別子および放送時刻情報により特定される放送コンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれる放送チャンネル識別子と放送時刻情報とを含むコンテンツ特定情報を記憶するデータベースと、
コンテンツ送信要求用ユーザ装置の種別を判別する手段と、
上記コンテンツ送信要求用ユーザ装置から送信されてくるコンテンツ送信要求に基づいて、上記データベースにおいて上記コンテンツ送信要求に伴うユーザ特定情報により特定されるユーザアカウントに記憶されているコンテンツ特定情報を取り出し、当該コンテンツ特定情報で特定され上記コンテンツ送信要求用ユーザ装置の種別に対応するフォーマットで準備されたコンテンツを、上記コンテンツ記憶手段から取り出して、上記コンテンツ送信要求用ユーザ装置に送信する手段とを有することを特徴とするコンテンツ提供装置。
【請求項２３】
放送信号に含まれる放送コンテンツを上記放送信号の放送チャンネル識別子および放送時刻情報に関連付けて記憶するコンテンツ記憶手段と、
関連付け要求用ユーザ装置から送信されてくる関連付け要求であって、ユーザ特定情報および放送チャンネル識別子を含み、上記ユーザ特定情報により特定されるユーザアカウントに上記放送チャンネル識別子および放送時刻情報により特定される放送コンテンツを関係付けるよう要求する関係付け要求を、受信する手段と、
上記関連付け要求に基づいて、上記関連付け要求に含まれるユーザ特定情報により特定されるユーザアカウントに上記関連付け要求に含まれる放送チャンネル識別子と放送時刻情報とを含むコンテンツ特定情報を記憶するデータベースと、
コンテンツ送信要求用ユーザ装置から送信されてくるコンテンツメニュー送信要求に基づいて、上記データベースにおいて上記コンテンツメニュー送信要求に伴うユーザ特定情報により特定されるユーザアカウントに記憶されているコンテンツ特定情報を取り出し当該コンテンツ特定情報で特定される放送コンテンツのメニューを生成して上記コンテンツ送信要求用ユーザ装置に送信する手段と、
上記コンテンツ送信要求用ユーザ装置から送信されてくる上記メニューに基づく選択指示に基づいて選択された放送コンテンツを、上記コンテンツ記憶手段から取り出して、上記コンテンツ送信要求用ユーザ装置に送信する手段とを有することを特徴とするコンテンツ提供装置。
【請求項２４】
コンテンツ特定情報により識別される放送コンテンツをストアするコンテンツ提供装置であって、さらにユーザ特定情報の元でコンテンツ特定情報を記録するデータベースを具備して通信ネットワークを介して情報アクセス装置から送られてくるユーザ特定情報を伴うコンテンツ送信要求を受け取って当該ユーザ特定情報の元で上記データベースに記録されているコンテンツ特定情報により特定される上記放送コンテンツを取り出して上記通信ネットワークを介して上記情報アクセス装置に送信する上記コンテンツ提供装置に、上記通信ネットワークを介して接続される上記情報アクセス装置で実行されるコンピュータプログラムを記録した、情報アクセス用のコンピュータ読取り可能な記録媒体において、
放送信号を受信するステップと、
受信した放送信号に含まれる放送コンテンツを再生するステップと、
ユーザ特定情報と、上記放送チャンネル識別子とを含む関係付け要求であって、上記ユーザ特定情報により特定される、上記データベースのユーザアカウントに上記放送チャンネル識別子および放送時刻情報を含むコンテンツ特定情報を記憶するよう要求する関係付け要求を、上記コンテンツ提供装置に送信するステップと、
ユーザ特定情報を伴うコンテンツ送信要求を上記コンテンツ提供装置に送信して、上記コンテンツ送信要求に伴うユーザ特定情報により特定される、上記データベースのユーザアカウントに記憶されている上記コンテンツ特定情報により特定されるコンテンツの送信を要求するステップとを上記情報アクセス装置に実行させるためのコンピュータプログラムを記録した、情報アクセス用のコンピュータ読取り可能な記録媒体。
【発明の詳細な説明】
技術分野
この発明は、放送サービスのコンテンツまたはこれに関連するコンテンツにネットワークを介してアクセスできるようにする情報アクセス技術または情報提供技術に関する。
背景技術
現在、インターネット上のウェブサーバにクライアント装置を用いてアクセスし種々のホームページを閲覧することができる。クライアント装置は固定して配置された情報端末に限られない。移動体通信の移動局例えば携帯電話機やカーナビゲーションシステムを用いて、インターネット接続を行い、ホームページにアクセスすることも可能となっている。
ところで、地上波アナログ放送、ＢＳデジタル放送等の放送サービスを利用してコンテンツを配信できるようになってきている。その上、これらのコンテンツを作成する際に採用可能な共通化されたデータ構造（たとえばＸＭＬ：拡張可能マークアップ言語）から、携帯電話機やカーナビゲーションシステム等、個々のメディアへの変換も可能となっている。したがって、放送サービスのコンテンツとネットワーク上のコンテンツとを連携させることが期待される。例えば、放送されているコンテンツや関連するコンテンツをインターネットを介してアクセス可能にし、事後的に情報端末や携帯電話機、カーナビゲーションシステム等を用いて閲覧できるようにすることが望まれる。
しかし、たとえ本来のコンテンツが放送サービスに関連するものでも、ユーザがインターネットを介してコンテンツを閲覧する限り、そのコンテンツにアクセスするには、インターネット上の検索エンジンを用いるか、放送での告知によりＵＲＬなどに代表されるアドレスをユーザみずから指定する必要がある。従来は、放送サービスで送られてくる情報を有効に利用できず、放送サービスと通信サービスとを連携させることができなかった。
発明の開示
この発明は、以上の事情を考慮してなされたものであり、電波またはＣＡＴＶ等の放送サービスにより放送された番組の情報と通信ネットワーク上のコンテンツ例えばインターネット上のコンテンツをシームレスにリンクし、かつ放送された情報および関連情報へのアクセスを検索やアドレスの入力行為を行わずに行なえるようにすることを目的としている。
この発明によれば、上述の目的を達成するために、請求の範囲に記載のとおりの構成を採用している。ここでは、請求の範囲の記載について補充的に説明を行なっておく。
この発明の具体的な構成では、放送されるコンテンツ内に、そのコンテンツを一意に識別可能とする識別子を含ませる。ユーザがそれに関する情報を望んだ時点において、クリック操作またはテレビリモコン等のボタンの操作で情報蓄積要求を指示する。この結果、コンテンツの識別子と情報蓄積要求を指示したユーザの識別子とがネットワークを通じてサーバ側に伝送され、情報蓄積要求を指示したユーザの識別子で一意に決定される仮想的なディレクトリにコンテンツの識別子が蓄積されていく。放送されたコンテンツは、前もって、あるいはユーザの蓄積要求に基づいて蓄積されている。ユーザが情報閲覧を要求すると、ユーザの識別子に基づいてコンテンツの識別子が取り出され、これに基づいて、移動体通信端末やインターネットに接続可能な端末に対して適応した形式に変換された情報をユーザに供給する。この変換は情報閲覧要求時に実行されてもよいし、予め実行されていてもよい。
さらにこの発明を説明する。この発明によれば、上述の目的を達成するために、情報アクセス装置に：放送信号を受信する手段と、受信した放送信号に含まれる放送コンテンツを再生する手段と；ユーザ特定情報と、上記放送コンテンツまたは上記放送コンテンツに関連する関連コンテンツを特定するコンテンツ特定情報とを含む関係付け要求であって、上記ユーザ特定情報により特定されるユーザアカウントに上記コンテンツ特定情報により特定されるコンテンツを関係付けるよう要求する関係付け要求を、所定の送信宛先に送信する手段と；ユーザ特定情報により特定されるユーザアカウントに関係付けられているコンテンツの送信を要求する手段とを設けるようにしている。
この構成においては、放送コンテンツ等をユーザアカウントに一旦関連付けその後ユーザアカウントを指定して所望の情報を取得することができる。
ユーザアカウントはユーザごとに１または複数個割当てられる。ユーザは使用端末（携帯電話機、ナビゲーションシステム、通常の情報端末）ごとにあるいは目的別にアカウントを取得してもよい。放送コンテンツ等をユーザアカウントに関連付けるには、放送コンテンツ等に割り当てられたコンテンツ識別子をユーザアカウントに登録する。
関連付け要求のユーザ特定情報は、ユーザＩＤ、ユーザ装置例えば携帯電話機の加入者番号、加入者番号にサブアドレスや制御コードを加えたもの、ＩＰアドレス、通信装置に物理的に登録された番号例えばＭＡＣアドレス等である。加入者番号は発信者番号通知サービスにより提供されてもよい。加入者網で関連付け要求を行なう場合にはユーザ特定情報やコンテンツ特定情報の少なくとも一部を呼設定メッセージに含ませて送信してもよい。ユーザアカウントはユーザ特定情報と一対一に対応付けられていてもよいし、一対多に対応付けられていてもよい。また、１つのユーザ特定情報で複数のユーザアカウントを同様に扱うようにしてもよい（複数のユーザアカウントに同時に登録できる）。ユーザアカウントは、システム上必ずしも「ユーザアカウント」として管理されている必要はなく、例えば、ユーザ特定情報例えばユーザ識別子として管理されていてもよい。
関連付け要求のコンテンツ特定情報は、コンテンツ識別子であってもよいし、コンテンツの放送時刻および放送チャネルであってもよい。放送時刻は、放送サイトから放送信号により放送信号受信サイトに送られてもよいし、放送信号受信サイトのクロックで計時してもよいし、コンテンツ管理サイトのクロックで計時してもよい。放送信号受信サイトのクロックやコンテンツ管理サイトのクロックを用いる場合には放送側のクロックと同期することが好ましい。関連付け要求がコンテンツ管理サイトに送られてきた時、コンテンツ管理サイトのクロックがこれを計時し、コンテンツの放送時刻と扱えば、コンテンツ特定情報として時刻情報を送る必要がなくなる。
コンテンツの放送時刻を放送局サイトから放送信号受信サイトに送る場合に、コンテンツに付随して送ってもよいし、コンテンツの一部として送ってもよい。コンテンツに付随して識別情報を送る場合には、例えば、特開平１０−５１７５２号公報に記載されるようなコンテンツのボディに付随するエレメントとして記述することができる。またコンテンツの一部として送る場合には、ＸＭＬ（拡張可能マークアップ言語）のタグを用いたり、ＨＴＭＬ（ハイパーテキストマークアップ言語）のメタタグ等を用いたりすることができる。
放送信号は、テレビジョン放送でも、ラジオ放送でもよい。デジタル放送でもアナログ放送でもよい。伝送チャネルは、地上波でもよいし、衛星を用いたものでもよいし、有線（ケーブルＴＶ）を用いたものでもよい。
放送コンテンツは例えばＢＭＬのコンテンツである。放送コンテンツに関連する関連コンテンツは放送されるコンテンツ例えば音声や映像データに関連してその内容を記述する文書（ＨＴＭＬ文書）やデータ（電話番号、地図情報、ＵＲＬ等である）である。
関係付け要求は、ＴＣＰ／ＩＰプロトコルにより送信してもよいし、通常の通話のプロトコルにより送信してもよい。ＴＣＰ／ＩＰプロトコルによる場合にはＨＴＴＰ等種々のアプリケーションを利用できる。通信網としてはインターネットを利用してもよいし、プライベートなＩＰ網を利用してもよいし、通信網の運営会社が提供するパケット網等を用いてもよい。通話を用いる場合にはＭＦＴ信号等の制御信号を用いることができる。ＣＴＩ（コンピュータテレフォニーインテグレーション）を用いてもよい。
関係付け要求は、放送信号の受信装置（受信機能付きの情報端末を含む）、その遠隔制御装置（リモコン）、固定電話機、携帯電話機等を用いて行なうことができる。宛先は、例えば、加入者番号やＩＰアドレスにより特定される。
コンテンツの送信要求も、ＴＣＰ／ＩＰプロトコルにより送信してもよいし、通常の通話のプロトコルにより送信してもよい。ＴＣＰ／ＩＰプロトコルによる場合にはＨＴＴＰ等種々のアプリケーションを利用できる。通信網としてはインターネットを利用してもよいし、プライベートなＩＰ網を利用してもよいし、通信網の運営会社が提供するパケット網等を用いてもよい。通話を用いる場合にはＭＦＴ信号等の制御信号を用いることができる。ＣＴＩを用いてもよい。
また、この発明の他の側面によれば、上述の目的を達成するために、情報提供装置に：放送コンテンツを含む放送信号を送信する手段と；上記放送信号に含まれる放送コンテンツまたは上記放送コンテンツに関連する関連コンテンツを上記放送コンテンツまたは上記関連コンテンツを特定するコンテンツ特定情報に関連付けて記憶するコンテンツ記憶手段と；ユーザ装置から送信されてくる関連付け要求であって、ユーザ特定情報およびコンテンツ特定情報を含み、上記ユーザ特定情報により特定されるユーザアカウントに上記コンテンツ特定情報により特定されるコンテンツを関係付けるよう要求する関係付け要求を、受信する手段と；上記関連付け要求に基づいて上記ユーザ特定情報により特定されるユーザアカウントに上記コンテンツ特定情報により特定されるコンテンツを関連付ける手段と；ユーザ装置から送信されてくるコンテンツ送信要求に基づいて対応するユーザアカウントに関連付けられているコンテンツを、上記コンテンツ記憶手段から取り出して、上記ユーザ装置に送信する手段とを設けるようにしている。
この構成においては、ユーザの要求に基づいて放送コンテンツ等をユーザアカウントに一旦関連付け、その後ユーザアカウントを指定して所望の情報を取得することができる。
この構成において、上記ユーザ装置の種別を判別する手段とをさらに設け、上記ユーザ装置に合致したコンテンツを上記ユーザ装置に送信するようにしてもよい。ユーザ装置のコンテンツのフォーマットとしては、通常のＨＴＭＬ、携帯電話機で用いられるコンパクトＨＴＭＬ、ＭＭＬ（モバイルマークアップ言語）、ＷＭＬ（ワイヤレスマークアップ言語）、ＨＤＭＬ（ハンドヘルドデバイスマークアップ言語）等である。これにより通常のウェブ端末のみでなく種々のユーザ装置に応じて適合的に情報を提供できる。
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品（記録媒体）もこの発明の技術的な範囲に含まれることも当然である。
発明を実施するための最良の形態
以下、実施例を参照してこの発明を詳細に説明する。
［実施例１］
まず、この発明の実施例１の情報提供システムについて説明する。この実施例では、以下詳述するように、クリッピングセンタ２０に設けた情報コンテンツデータベース２２０にコンテンツを保管し（例えばＸＭＬ文書により保管）、このコンテンツを放送用コンテンツに変換して放送設備１０で放送する。ユーザは放送番組を視聴してその番組をクリッピングセンタ２０に「マーク」指示する。クリッピングセンタ２０は、「マーク」した番組に対応するコンテンツをユーザ特定情報に関連付けて登録する。この後、ユーザが情報閲覧を要求すると、ユーザの情報端末の仕様に合致したフォーマットに変換されたコンテンツが、ユーザの情報端末に供給される。
なお、ここではつぎのことを前提としている。もちろん、このような前提は単なる事例にすぎず、種々の構成を採用できる。
▲１▼放送に使用される伝送路はＢＳ（放送衛星）デジタルとする（地上波アナログ、地上波デジタル等にも応用は可能）。
▲２▼放送されるコンテンツはＢＭＬ（ブロードキャストマークアップ言語）で記述されるものとし、放送コンテンツと呼称し、ユニークな識別子を有する。またこの識別子は情報コンテンツデータベース２２０内のデータと同期しているものとする。
▲３▼放送受信機はＴＣＰ／ＩＰ、ＨＴＴＰのプロトコルスタックが使用可能とする。（回線のみ、無手順であっても可能）
▲４▼移動体端末についてはｉ−ｍｏｄｅ（株式会社エヌ・ティ・ティ・ドコモの商標）端末を事例に使用する。
▲５▼放送を視聴する放送受信機はテレビ受像機と呼称する。
▲６▼「個人識別情報または端末識別情報」を単に識別情報と呼称する。
▲７▼マークとは番組情報を取得するために指定する行為とする。
図１は、この実施例１を全体として示しており、この図において、情報提供システムは、放送局の放送設備１０およびクリッピングセンタ２０を含んで構成されている。放送設備１０およびクリッピングセンタ２０は専用線サービス、ＩＰ網サービス、仮想ＬＡＮサービス等の通信回線７０を用いて接続されている。両者を同一サイトに置き、ＬＡＮ接続してもよい。放送設備１０は、ＢＳデジタルテレビジョン放送サービスを提供するものである。もちろん、地上波放送、通信衛星放送、有線放送サービスを提供するものでもよく、その放送内容もテレビ、ラジオ、データ、複合形態のいずれでもよい。また放送信号の形態もデジタルでもよいし、アナログでもよい。ユーザ（視聴者）は例えば自宅（受信設備６０）においてテレビ受像機６００を用いて放送信号を受信して再生する。テレビ受像機６００は、セットトップボックス、テレビ受像機能付き情報端末等でもよい。ユーザは放送された番組を、クリッピングセンタ２０を用いて自分のアカウントにマークすることができる。この後、ユーザは携帯端末（携帯電話機３００、ナビゲーションシステム４００等）を用いて任意の場所からクリッピングセンタ２０にアクセスし、マークした番組を閲覧することができる。ネットワークに接続された据え置き型のパーソナルコンピュータ（図示しない）等の固定情報端末を用いて閲覧することもできる。
放送設備１０は、放送信号送出装置１００、放送コンテンツを記憶する外部記憶装置１１０、放送番組の編成を行なう編成装置１２０等を有している。
クリッピングセンタ２０は、クリッピングサーバ２００、情報コンテンツデータベース２２０、ユーザ情報データベース２３０、ユーザコンテンツサーバ２４０等を有している。情報コンテンツデータベース２２０は例えばＸＭＬで記述されたコンテンツを保持しており、クリッピングサーバ２００または他のサーバがＸＳＬＴ等を用いて他のメディアのＸＭＬ等に変換する。この結果、ＭＭＬ、ＨＴＭＬ、ＣＨＴＭＬ、ＷＭＬ、ＭＭＬ、ＨＤＭＬ等のフォーマットのコンテンツを利用できる。ＢＭＬフォーマットに変換されたコンテンツは放送設備１０に送られ放送コンテンツとして外部記憶装置１１０に記憶される。また、携帯電話機やナビゲーションシステムの各文書フォーマットに変換されたコンテンツがユーザコンテンツサーバ２４０に保管される。
クリッピングセンタ２０のクリッピングサーバ２００は、種々のサービスを提供し、例えば、図２に示すようにコマンド受付部２０１、端末調査部２０２、メニュー作成部２０４、コンテンツ変換部２０３を有している。
受信設備６０のテレビ受像機６００は、放送信号を受信して再生するとともに、通信機能を有しており、クリッピングセンタ２０にマーク要求等を送信することができる。
図３はテレビ受像機６００を制御するリモコン６１０を示しており、このリモコン６１０はテレビ受像機６００を制御するためのキーを具備し、例えば赤外線を用いて制御信号をテレビ受像機６００に送信する。微弱電波チャネル例えばＢｌｕｅＴｏｏｔｈ（商標）を用いて制御信号をテレビジョン受像機６００に送信してもよい。このリモコン６１０はコンテンツをマークするために「マーク」ボタン６１１を有している。この「マーク」ボタンの操作に基づいて所定の制御信号がテレビ受像機６００に送られ、テレビ受像機６００の送信機能がクリッピングセンタ２０にマーク要求を行なう。なお、リモコン６１０が通信機能を有し、リモコン６１０からクリッピングセンタ２０にマーク要求等を送信するようにしてもよい。マーク要求は回線網８０を介してクリッピングサーバ２００のコマンド受付部２０１に送られる。例えばＴＣＰ／ＩＰ接続によりＨＴＴＰプロトコルで送られる。この回線網は、クリッピングセンタ２０がどのような公衆網に接続されるかにより異なる。回線網８０は、移動体通信の運営会社が提供するパケット交換網の場合もあるし、移動体通信または固定電話の通話網の場合もあるし、インターネットの場合もあるし、プライベートな通信網の場合もある。
携帯電話機３００やカーナビゲーションシステム４００は回線網８０を介してクリッピングセンタ２０に接続することができる。携帯電話機３００は図４に示すように情報閲覧要求を行なう「情報」ボタン３０２を有しており、この「情報」ボタン３０２を操作することにより情報閲覧をクリッピングセンタ２０に送り、所望の情報を閲覧することができる。これについては図７を参照して後に詳述する。カーナビゲーションシステム４００にも同様なボタンを設けて情報閲覧要求を行なうことができる。もちろん、メニューを表示・操作して要求を行なってもよい。なお、図４の携帯電話機３００に「マーク」ボタン３０１を設けて「マーク」操作を行なうようにしてもよい。
つぎにこの実施例の動作について説明する。
まず、図２を参照して動作の概要について説明しておく。図２において、まず、情報コンテンツデータベース２２０から放送を行なうコンテンツが取り出され放送設備１０に送られ（図１）、同時にクリッピングサーバ２００のコンテンツ変換部２０３により携帯端末等のフォーマットに変換されてユーザコンテンツサーバ２４０に保管される（Ｘ０）。ユーザ（視聴者）は受信設備６０においてテレビ受像機６００を用いてテレビ放送を視聴する。ユーザはテレビ放送の番組をマークするときにはリモコン６１０のマークボタン６１１（図３）を操作する。そうすると、テレビ受像機６００は、ＴＣＰ／ＩＰでクリッピングセンタ２０のクリッピングサーバ２００と接続し、ＨＴＴＰを用いて識別情報および番組識別子をクリッピングサーバ２００に送信する（Ｘ１）。クリッピングセンタ２０のユーザ情報データベース２３０にはユーザまたは利用端末ごとにアカウント（エントリ）が設けられている。ユーザのマーク操作に応じてその識別情報および番組識別子が送信されてくると、識別情報に対応するアカウントに番組識別子が登録される（Ｘ２）。ユーザ情報データベース２３０は例えば図８に示すようなデータをマーク操作ごとに記憶する。なお、図８の「ユーザ識別子」は個人識別情報（個人識別子ともいう）または端末識別情報（端末識別子ともいう）である。つぎにユーザが携帯電話機３００を用いて閲覧要求をクリッピングサーバ２００に送信すると、コマンド受付部２０１がこれを受け付ける（Ｘ３）。そしてクリッピングサーバ２００から携帯電話機３００にメニュー表示やコンテンツが送信される（Ｘ４）。なお、端末調査部２０２がユーザの端末の種類を判別してそれに合致したメニューおよびコンテンツを送信する。
図５は、コンテンツ生成および番組編成の動作を示している。図５において、コンテンツ変換部２０３は、情報を管理しているコンテンツデータベース２２０からＸＭＬファイルを取得し（Ｓ１０００）、放送コンテンツを生成する段階で、当該放送コンテンツに付与される番組を一意に特定する識別子および放送コンテンツを生成する（Ｓ１００１）。また他のメディアに合致したコンテンツを生成する（Ｓ１００２）。さらに、生成された放送コンテンツは外部記憶装置（放送コンテンツデータベース）１１０に格納される（Ｓ１００３）。また端末別（携帯電話、移動体通信端末など）に対応したコンテンツを、番組を一意に特定する識別子と関連付けてユーザコンテンツサーバ２４０に格納する（Ｓ１００４）。
図６は、視聴者（ユーザ）がマーク操作を行なったときの動作を示す。図６において、視聴者は図２のテレビ受像機６００で、放送番組を視聴中（Ｓ２０００）に当該番組情報を取得したいと考えたときに、リモコン６１０が持つマークボタン６１１（図３）または携帯電話機３００が持つマークボタン３０１（図４）を操作し（Ｓ２００１）、当該番組の番組情報をマークするためにクリッピングサーバ２００内のコマンド受付部２０１に命令を送る（Ｓ２００２）。クリッピングサーバ２００内のコマンド受付部２０１は、マークの要求により送られてくる、ユーザを識別する識別子（ユーザ識別子、個人識別子、端末識別子ともいう）および番組（コンテンツ）を特定する識別子（番組識別子またはコンテンツ識別子ともいう）を受け取り、ユーザ情報データベース２３０に例えば図８に示すようなフォーマットで格納する。こうして番組の識別子がユーザ別に格納管理される（Ｓ２００３）。
図７は、マークした番組を閲覧するときの動作を示している。図７において、指定した番組の情報を携帯電話機等から閲覧したいユーザは、携帯電話機３００の情報ボタン３０２（図４）を押下することによって、または回線接続可能なテレビ受像機６００に付属の制御機器であるリモコン６１０の同様なボタン（図示しない）を押下することによってクリッピングサーバ２００内のコマンド受付部２０１に、表示要求命令を送信する（Ｓ３００１）。命令を受けたクリッピングサーバ２００内のコマンド受付部２０１は、クリッピングサーバ２００内の端末調査部２０２により、命令発信元の端末種およびユーザを特定する識別子または端末を特定する識別子を取得し（Ｓ３００２）、ユーザ情報データベース２３０内に保管されているユーザ情報からクリッピングサーバ２００内のメニュー作成部２０４で、ユーザがマークした情報の一覧を表示するメニュー表示コンテンツを作成し（Ｓ３００３）、メニュー表示コンテンツを携帯電話機３００または受信設備６０のテレビ受像機６００に回線網８０を介して送信する。ユーザは表示されたメニューから内容を閲覧したいものを選択し、希望の情報を閲覧することができる（Ｓ３００４）。なお、ユーザ識別子（個人識別子、端末識別子）はユーザ側から明示的に入力して送信してもよいし（予め設定したユーザ識別子を記憶して自動的に送信してもよい）、また呼設定等の手続において制御メッセージ中に含まれていてもよい。
以上で実施例１の説明を終了する。
［実施例２］
つぎにこの発明の実施例２について説明する。この実施例は、放送設備１０の編成装置１２０においてＨＴＭＬのコンテンツを生成し放送コンテンツとして外部記憶装置１１０に記憶し、さらに番組編成登録装置１２２でコンテンツに識別情報を付し、この後、クリッピングセンタ２０の情報コンテンツデータベース２２０に登録するものである。その他の構成は基本的に実施例１と同様である。
図９は、この実施例の要部を示しており、この図において、放送設備１０の編成装置１２０はコンテンツ生成装置１２１および番組編成登録装置１２２を有している。コンテンツ生成装置１２１はＨＴＭＬで記述された外部コンテンツまたは内部コンテンツを指定して放送用のコンテンツを生成する。番組編成登録装置１２２は、放送時刻、放送チャネルを指定して番組編成を行ない、編成したコンテンツを外部記憶装置１１０に格納する。クリッピングセンタ２０のクリッピングサーバ２００は、放送するコンテンツ、放送時刻、放送チャネルを関連付けて情報コンテンツデータベース２２０に格納する。さらに、情報コンテンツデータベース２２０のコンテンツが、携帯電話機やナビゲーションシステムの各文書フォーマットに変換され、ユーザコンテンツサーバ２４０に保管される。
図１０は、コンテンツの生成および編成登録の動作を示しており、この図において、ＨＴＭＬファイルが指定され（Ｓ４０００）、放送メディアに対応したコンテンツに変換され（Ｓ４００１）、この後、外部記憶装置１１０に記憶される（Ｓ４００２）。生成されたコンテンツが放送されるタイミングとチャネルを特定するパラメータが情報コンテンツデータベース２２０に格納される（Ｓ４００３）。情報コンテンツデータベース２２０は例えば図１３に示すようにコンテンツ等を格納する。
図１１は、視聴者（ユーザ）がマーク操作を行なったときの動作を示す。図１１において、視聴者はテレビ受像機６００で、放送番組を視聴中（Ｓ５０００）に当該番組情報を取得したいと考えたときに、リモコン６１０のマークボタン６１１（図３）または携帯電話機３００のマークボタン３０１（図４）を操作し（Ｓ５００１）、当該番組の番組情報をマークするためにクリッピングサーバ２００内のコマンド受付部２０１に命令を送り（Ｓ５００２）、クリッピングサーバ２００内のコマンド受付部２０１はマークの要求により送られてくる、ユーザを識別する識別子と放送されている時刻およびチャネルを受信する。この結果、ユーザ情報ＤＢ２３０に番組の放送時刻およびチャネルがユーザ別に例えば図１４に示すように格納管理される（Ｓ５００３）。放送時刻の情報は放送設備１０から送られてもよいし、受信設備のテレビ受像機６００、リモコン６１０、携帯電話機３００のクロックで計時した時刻情報（マーク時の時刻の時刻情報でもよい）でもよい。クリッピングセンタ２０のクロックで計時した時刻情報（マークの要求を受信した時刻の情報）を用いるようにしてもよい。この場合、クリッピングセンタ２０に放送時刻を通知する必要がなくなる。
図１２は、マークした番組を閲覧するときの動作を示している。図１２において、指定した番組の情報を携帯電話機等から閲覧したいユーザは、携帯電話機３００の情報ボタン３０２（図４）を押下することによって、または回線接続可能なテレビ受像機６００に付属の制御機器であるリモコン６１０の同様なボタン（図示しない）を押下することによってクリッピングサーバ２００内のコマンド受付部２０１に、表示要求命令を送信する（Ｓ６００１）。命令を受けたクリッピングサーバ２００内のコマンド受付部２０１は、クリッピングサーバ２００内の端末調査部２０２により、命令発信元の端末種およびユーザを特定する識別子または端末を特定する識別子を取得し（Ｓ６００２）、ユーザ情報データベース２３０内に保管されているユーザ情報からクリッピングサーバ２００内のメニュー作成部２０４で、ユーザがマークした情報の一覧を表示するメニュー表示コンテンツを作成し（Ｓ６００３）、メニュー表示コンテンツを携帯電話機３００またはテレビ受像機６００に送信する。ユーザは表示されたメニューから内容を閲覧したいものを選択し、希望の情報を閲覧することができる（Ｓ６００４）。
以上で実施例２の説明を終了する。
なお、この発明は上述の実施例に限定されるものではなくその趣旨を逸脱しない範囲で種々変更が可能である。例えば、クリッピングセンタ２０のクリッピングサーバ２００のコマンド受付部２０１はＴＣＰ／ＩＰ接続によりコマンドを送るようにしているが、ＣＴＩセンタを用いて通話（制御信号）によりマークを行なってもよい。クリッピングサーバはインターネットに開放されていてもよい。この場合、移動体通信サービスの移動局はゲートウェイを介してクリッピングサービスにアクセスする。通常の固定の情報端末もインターネットを介してクリッピングセンタの情報を閲覧できる。また、移動体通信網の運営会社の固有のパケット交換網に配置されていてもよい。この場合、このパケット交換網上の特別なサービスとしてクリッピングサービスを提供することができる。
また、番組を識別する情報（番組識別子やチャネル、時刻情報）は、ユーザが入力するようにしてもよい。例えば、放送画面に番組識別子が表示され、これを入力する。時刻情報はマーク要求をサーバが受け取った時刻としてクリッピングサーバの時刻情報を利用してもよい。
また、リモコンや携帯端末機に専用の「マーク」ボタンや「情報」ボタンを設けずに、メニューにより「マーク」や「情報」を指示するようにしてもよい。例えば、ｉ−ｍｏｄｅ（商標）の携帯電話機の専用サービスとして提供し、メニューの選択により「マーク」や「情報」の操作を行なってもよい。もちろん、通常のウェブサイトにおけるメニューによりそれらを選択してもよい。もちろん、通常のパーソナルコンピュータを用いて「マーク」の操作や「情報」の操作を行なってもよい。ユーザを特定する情報としては通常のユーザＩＤのほかに加入者番号（電話番号）、ＩＰアドレス、ＭＡＣアドレス、加入者番号にサブアドレスや制御コードを付加したもの等を用いることができる。固定電話機、携帯電話機を用いて「マーク」や「情報」の操作を行なう場合、呼設定メッセージにユーザ特定情報等を含ませて送ることができる。発信者番号通知サービスを用いて発信者の加入者番号を取得してユーザ特定情報とすることも可能である。
産業上の利用可能性
以上説明したように、この発明によれば、放送で視聴したコンテンツまたは関連のコンテンツを簡易に外部のデータベースに登録でき、その後、どこからでも取り出すことができる。
【図面の簡単な説明】
第１図は、この発明の実施例１を全体として示すブロック図である。
第２図は、実施例１の要部の構成を説明するブロック図である。
第３図は、実施例１のテレビ受像機６００のリモコン６１０の構成例を示す図である。
第４図は、実施例１の携帯電話機３００の構成例を示す図である。
第５図は、実施例１の動作を説明するフローチャートである。
第６図は、実施例１の動作を説明するフローチャートである。
第７図は、実施例１の動作を説明するフローチャートである。
第８図は、実施例１のユーザ情報データベースを説明する図である。
第９図は、この発明の実施例２の要部を説明するブロック図である。
第１０図は、実施例２の動作を説明するフローチャートである。
第１１図は、実施例２の動作を説明するフローチャートである。
第１２図は、実施例２の動作を説明するフローチャートである。
第１３図は、実施例２の情報コンテンツデータベースを説明する図である。
第１４図は、実施例２のユーザ情報データベースを説明する図である。
【図１】
0004174319.tif 000002
【図２】
0004174319.tif 000003
【図３】
0004174319.tif 000004
【図４】
0004174319.tif 000005
【図５】
0004174319.tif 000006
【図６】
0004174319.tif 000007
【図７】
0004174319.tif 000008
【図８】
0004174319.tif 000009
【図９】
0004174319.tif 000010
【図１０】
0004174319.tif 000011
【図１１】
0004174319.tif 000012
【図１２】
0004174319.tif 000013
【図１３】
0004174319.tif 000014
【図１４】
0004174319.tif 000015